(57)【特許請求の範囲】
【請求項１】
欠陥管理用の臨時欠陥リストを追記型情報記録媒体に記録する方法であって、
前記追記型の情報記録媒体にデータが記録される際に生成されたＮクラスター分の前記臨時欠陥リストのデータを、前記追記型の情報記録媒体の臨時ディスク管理領域のＮ個のクラスターに記録し、及び前記Ｎ個のクラスターの各々に欠陥があるか否かを検証するステップと、
前記検証するステップにおいて欠陥が発見されたクラスターに記録されたデータを、前記臨時ディスク管理領域における前記Ｎ個のクラスターとは別の他のクラスターに記録するステップと、
ポインター情報を有する臨時ディスク定義構造を前記臨時ディスク管理領域に記録するステップであって、前記ポインター情報は、前記欠陥が発見されたクラスターを除いた前記Ｎ個のクラスターの位置情報、及び前記他のクラスターの位置情報を示す、ステップと、
前記臨時ディスク管理領域に記録される前記臨時ディスク定義構造及び前記臨時欠陥リストを、前記追記型の情報記録媒体の最終化の際、前記追記型の情報記録媒体のディスク管理領域に記録するステップと、
を有する方法。
【請求項２】
前記臨時欠陥リストは、欠陥のあるデータの位置情報と、該欠陥のあるデータの代わりの代替データの位置情報とを含む、請求項１記載の方法。
【請求項３】
追記型の情報記録媒体に記録されている欠陥管理用の臨時欠陥リストを読み取る方法であって、
前記追記型の情報記録媒体の臨時ディスク管理領域から、臨時ディスク定義構造を読み取るステップと、
前記臨時欠陥リストが記録されている場所を示すポインター情報を、前記臨時ディスク定義構造から取得するステップと、
前記ポインター情報を利用して、前記臨時欠陥リストが記録されている他のクラスターにアクセスするステップと、
を有し、前記追記型の情報記録媒体にデータが記録される際に生成されたＮクラスター分の前記臨時欠陥リストのデータが、前記追記型の情報記録媒体の臨時ディスク管理領域のＮ個のクラスターに記録される際に、欠陥が発見されたクラスターに記録されたデータを代替するためのデータが前記Ｎ個のクラスターとは別の他のクラスターに記録され、
前記ポインター情報は、前記欠陥が発見されたクラスターを除いた前記Ｎ個のクラスターの位置情報及び前記他のクラスターの位置情報を示し、
前記臨時ディスク管理領域に記録された前記臨時ディスク定義構造及び前記臨時欠陥リストは前記追記型の情報記録媒体の最終化の際、前記追記型の情報記録媒体のディスク管理領域に記録される、方法。
【請求項４】
前記臨時欠陥リストは、欠陥のあるデータの位置情報と、該欠陥のあるデータの代わりの代替データの位置情報とを含む、請求項３記載の方法。
【発明の詳細な説明】
【技術分野】
【０００１】
本発明は、追記型の情報記録媒体に係り、特に追記型の情報記録媒体に臨時欠陥リストを記録する方法、その再生方法、その記録及び／または再生装置及びその追記型の情報記録媒体に関する。
【背景技術】
【０００２】
欠陥管理とは、情報記録媒体に記録されたデータを正常に再生できない欠陥が発生した場合、欠陥が発生した位置に記録されたデータを情報記録媒体上の他の位置に再び記録して、欠陥発生によるデータ損失を防止することをいう。
【０００３】
従来、欠陥管理は、線形置換を利用した欠陥管理方法と、飛ばしを利用した欠陥管理方法とに大別される。線形置換とは、データ領域に欠陥が発生すれば、その欠陥領域をデータ領域に設けられたスペア領域の欠陥が発生していない領域に置換することをいう。飛ばしとは、欠陥が発生した領域は使用せず、“飛ばした”後に欠陥が発生していない領域を順次に使用することをいう。
【０００４】
線形置換方式及び飛ばし方式は、ＤＶＤ−ＲＡＭ／ＲＷ（リライタブル）など反復記録が可能であり、ランダムアクセス方式による記録が可能なディスクについて主に適用された。
【０００５】
最近では、一回データを記録すれば、再び消して記録できない特性を有する追記型の情報記録媒体にも、データ記録及び／または再生装置による欠陥管理を具現するための方案が考慮されている。
【０００６】
線形置換を利用した追記型の情報記録媒体の欠陥管理について、さらに詳細に説明する。ホストからユーザーデータの記録命令及びユーザーデータを入力されたデータ記録及び／または再生装置は、データ記録単位であるクラスター単位でユーザーデータを記録する。データ記録及び／または再生装置は、記録後の検証過程を行ってユーザーデータが記録されたユーザーデータ領域のクラスターに欠陥が発生すれば、データ領域に設けられたスペア領域に再びそのデータを記録する。
【０００７】
データ記録及び／または再生装置は、データ記録中に所定時間の間隔または一回のデータ記録作業を完了した後、欠陥が発生したユーザーデータ領域のクラスターの位置情報と、そのクラスターに記録されたデータが再記録されたスペア領域の代替クラスターの位置情報とを含む臨時欠陥リスト（テンポラリディフェクトリスト：ＴＤＦＬ）を生成した後、臨時ディスク管理領域（デンポラリディスクマネージメントエリア：ＴＤＭＡ）に記録する。また、データ記録及び／または再生装置は、ＴＤＭＡにＴＤＦＬを記録した後、ＴＤＦＬが記録された位置を示すポインター情報をＴＤＭＡに記録する。
【０００８】
追記型の情報記録媒体が再びデータ記録及び／または再生装置にローディングされれば、データ記録及び／または再生装置は、追記型の情報記録媒体からＴＤＦＬを読み取ってメモリに保存する。追記型の情報記録媒体にさらにデータを記録する場合、追加データの記録により新たな欠陥クラスターが発生すれば、欠陥クラスターに記録されたデータをスペア領域の代替クラスターに再記録する。次いで、メモリに保存されたＴＤＦＬに、新たな欠陥クラスターの位置情報とその欠陥クラスターに対応する代替クラスターの位置情報とが含まれたアップデートされたＴＤＦＬを生成した後でＴＤＭＡに記録し、そのアップデートされたＴＤＦＬが記録された位置を示すポインター情報をＴＤＭＡに記録する。
【０００９】
したがって、データ記録及び／または再生装置は、ユーザーデータの再生のために追記型の情報記録媒体がローディングされれば、まずＴＤＭＡに接近して最終的にアップデートされたＴＤＦＬが記録された位置を示すポインター情報を得た後、最終的にアップデートされたＴＤＦＬを得る。データ記録及び／または再生装置は、最終的にアップデートされたＴＤＦＬを参考にしてユーザーデータをエラーなしに再生できる。
【００１０】
前述したように、ＴＤＦＬは、ユーザーデータの再生において非常に重要な情報であるため、高い信頼度を有するようにＴＤＦＬを記録することが要求される。したがって、ＴＤＦＬの記録時にも、ユーザーデータの記録時と同様に、記録後の検証過程を行って、欠陥クラスターが発生すれば、その欠陥クラスターに記録されたデータをＴＤＭＡの他のクラスターに再記録する。
【００１１】
従来技術によれば、ＴＤＦＬの大きさが二つ以上のクラスター分量に該当して二つ以上のクラスターに記録される場合、記録後の検証過程を行って一つの欠陥クラスターでも発生すれば、全体のＴＤＦＬを再び他の複数のクラスターに再記録する。しかし、ＴＤＭＡはデータ領域に比べて小さいので、データ記録量が多くない。したがって、前述した従来技術によってＴＤＦＬを欠陥管理する場合、ＴＤＭＡが速く消耗されるという問題がある。
【先行技術文献】
【特許文献】
【００１２】
【特許文献１】特開平11-039801号公報
【特許文献２】特開平09-167446号公報
【特許文献３】特開平06-338139号公報
【発明の概要】
【発明が解決しようとする課題】
【００１３】
本発明が解決しようとする課題は、ＴＤＦＬを高い信頼度で記録し、ＴＤＦＬを記録するために割り当てられた領域の活用度を向上する追記型の情報記録媒体にＴＤＦＬを記録する方法及びその記録装置を提供するところにある。
【００１４】
本発明が解決しようとする他の課題は、ＴＤＦＬを記録するために追記型の情報記録媒体に割り当てられた領域の活用度を向上させ、高い信頼度で記録されたＴＤＦＬを再生する方法及びその再生装置を提供するところにある。
【００１５】
本発明が解決しようとするさらに他の課題は、ＴＤＦＬを高い信頼度で記録し、ＴＤＦＬを記録するために割り当てられた領域の活用度を向上する追記型の情報記録媒体を提供するところにある。
【課題を解決するための手段】
【００１６】
前記課題を解決するために、本発明による追記型の情報記録媒体にＴＤＦＬの記録方法は、前記追記型の情報記録媒体にデータ記録中に生成されたＴＤＦＬを、前記追記型の情報記録媒体の少なくとも一つのクラスターに記録し、前記少なくとも一つのクラスターに欠陥が発生したか否かを検証するステップ、欠陥が発生したクラスターに記録されたデータを他のクラスターに記録するステップ、及び前記ＴＤＦＬが記録された少なくとも一つのクラスターの位置を示すポインター情報を、前記追記型の情報記録媒体に記録するステップを含むことを特徴とする。
【００１７】
また、前記ＴＤＦＬは、欠陥が発生した欠陥クラスターの位置情報と、前記欠陥クラスターの代替のための代替クラスターの位置情報とを含むことが望ましい。
【００１８】
また、前記ポインター情報は、欠陥が発生したクラスターの代わりに、前記他のクラスターの位置を示す情報を含むことが望ましい。
【００１９】
また、前記ポインター情報は、臨時ディスク管理情報に含まれ、前記ＴＤＦＬ及び前記臨時ディスク管理情報は、前記追記型の情報記録媒体に設けられたＴＤＭＡに記録されることが望ましい。
【００２０】
前記課題を解決するために、本発明によるデータ記録装置は、追記型の情報記録媒体にデータを記録／読み取る記録／読み取り部、及び前記追記型の情報記録媒体にデータ記録中に生成された欠陥管理のためのＴＤＦＬを、前記追記型の情報記録媒体の少なくとも一つのクラスターに記録するように前記記録／読み取り部を制御し、前記少なくとも一つのクラスターに欠陥が発生したか否かを検証して、欠陥が発生したクラスターに記録されたデータを他のクラスターに記録するように前記記録／読み取り部を制御し、前記ＴＤＦＬが記録された少なくとも一つのクラスターの位置を示すポインター情報を、前記追記型の情報記録媒体に記録するように前記記録／読み取り部を制御する制御部を備えることを特徴とする。
【００２１】
また、前記ＴＤＦＬは、欠陥が発生した欠陥クラスターの位置情報と、前記欠陥クラスターの代替のための代替クラスターの位置情報とを含むことが望ましい。
【００２２】
また、前記ポインター情報は、欠陥が発生したクラスターの代わりに、前記他のクラスターの位置を示す情報を含むことが望ましい。
【００２３】
また、前記ポインター情報は、臨時ディスク管理情報に含まれることが望ましく、前記ＴＤＦＬ及び前記臨時ディスク管理情報は、前記追記型の情報記録媒体に設けられたＴＤＭＡに記録されることが望ましい。
【００２４】
前記他の課題を解決するために、本発明による追記型の情報記録媒体に記録されたＴＤＦＬの再生方法は、前記追記型の情報記録媒体から、前記ＴＤＦＬが記録された位置を示すポインター情報を得るステップ及び前記ポインター情報によって、前記ＴＤＦＬが記録された少なくとも一つのクラスターにアクセスして、前記ＴＤＦＬを読み取るステップを含むことを特徴とする。
【００２５】
また、前記ポインター情報は、前記ＴＤＦＬが記録された少なくとも一つのクラスターの位置を示す情報であることが望ましい。
【００２６】
また、前記ポインター情報は、前記少なくとも一つのクラスターのそれぞれの位置を示す情報であることが望ましい。
【００２７】
また、前記ＴＤＦＬの記録時、少なくとも一つのクラスターに欠陥が発生して、他のクラスターにデータを代替して記録した場合、前記ポインター情報は、前記欠陥が発生した欠陥クラスターの代わりに前記他のクラスターの位置を示す情報を含むことが望ましい。
【００２８】
また、前記ＴＤＦＬは、欠陥が発生した欠陥クラスターの位置情報と、前記欠陥クラスターの代替のための代替クラスターの位置情報とを含むことが望ましい。
【００２９】
また、前記ポインター情報は、臨時ディスク管理情報に含まれることが望ましく、前記ＴＤＦＬ及び前記臨時ディスク管理情報は、前記追記型の情報記録媒体に設けられたＴＤＭＡに記録されることが望ましい。
【００３０】
前記他の課題を解決するために、本発明によるデータ再生装置において、追記型の情報記録媒体に記録されたデータを読み取る読み取り部、及び追記型の情報記録媒体から、欠陥管理のために記録されたＴＤＦＬが記録された位置を示すポインター情報を読み取るように前記読み取り部を制御し、前記読み取り部から出力された前記ポインター情報によって、前記ＴＤＦＬが記録された少なくとも一つのクラスターにアクセスして、前記ＴＤＦＬを読み取るように前記読み取り部を制御する制御部を備えることを特徴とする。
【００３１】
また、前記ポインター情報は、前記ＴＤＦＬが記録された少なくとも一つのクラスターの位置を示す情報であることが望ましい。
【００３２】
また、前記ポインター情報は、前記少なくとも一つのクラスターのそれぞれの位置を示す情報であることが望ましい。
【００３３】
前記ＴＤＦＬの記録時、少なくとも一つのクラスターに欠陥が発生して、他のクラスターにデータを代替して記録した場合、前記ポインター情報は、前記欠陥が発生した欠陥クラスターの代わりに前記他のクラスターの位置を示す情報を含むことが望ましい。
【００３４】
また、前記ＴＤＦＬは、欠陥が発生した欠陥クラスターの位置情報と、前記欠陥クラスターの代替のための代替クラスターの位置情報とを含むことが望ましい。
【００３５】
また、前記ポインター情報は、臨時ディスク管理情報に含まれ、前記ＴＤＦＬ及び前記臨時ディスク管理情報は、前記追記型の情報記録媒体に設けられたＴＤＭＡに記録されることが望ましい。
【００３６】
前記さらに他の課題を解決するために、本発明による追記型の情報記録媒体は、ユーザーデータを記録するための少なくとも一つのユーザーデータ領域、ユーザーデータ領域の欠陥発生時、代替のための少なくとも一つのスペア領域、及び欠陥管理のためのＴＤＦＬ、及び前記ＴＤＦＬが記録された少なくとも一つのクラスターの位置を示すポインター情報を記録するための少なくとも一つのＴＤＭＡを備えることを特徴とする。
【００３７】
また、前記ＴＤＦＬは、欠陥が発生したユーザーデータ領域の欠陥クラスターの位置情報と、前記欠陥クラスターの代替のための前記スペア領域の代替クラスターの位置情報とを含むことが望ましい。
【００３８】
また、前記ＴＤＦＬを前記ＴＤＭＡの少なくとも一つのクラスターに記録時、前記少なくとも一つのクラスターに欠陥が発生して、他のクラスターにデータを代替して記録した場合、前記ポインター情報は、前記欠陥が発生した欠陥クラスターの代わりに前記他のクラスターの位置を示す情報を含むことが望ましい。
【００３９】
また、前記ポインター情報は、臨時ディスク管理情報に含まれることが望ましい。
【発明の効果】
【００４０】
本発明によれば、さらに効率的に追記型の情報記録媒体の領域を利用でき、さらに高い信頼度でＴＤＦＬを記録及び再生できる。
【図面の簡単な説明】
【００４１】
【図１】本発明の一実施形態による追記型の情報記録媒体の構造を示す図である。
【図２】本発明の一実施形態による記録及び／または再生装置のブロック図である。
【図３】本発明の一実施形態によるＴＤＦＬの記録方法のフローチャートである。
【図４】記録後の検証過程によってＴＤＦＬを生成する過程をさらに詳細に説明するための図である。
【図５】ＴＤＦＬの一実施形態を示す図である。
【図６】ＴＤＦＬの記録後の検証方法の第1実施形態を示す図である。
【図７】ＴＤＦＬの記録後の検証方法の第2実施形態を示す図である。
【図８】本発明によるＴＤＦＬの位置を示すポインター情報の一例を示す図である。
【図９】本発明の一実施形態によるＴＤＦＬの再生方法のフローチャートである。
【発明を実施するための形態】
【００４２】
本発明の一形態によれば、ＴＤＦＬの記録時、記録後の検証過程を行って欠陥クラスターが発生した場合、他のクラスターに再記録することによってＴＤＦＬを高い信頼度で記録できる。さらに、ＴＤＦＬの記録時に欠陥が発生しても、再び全体のＴＤＦＬを記録せずに欠陥クラスターに記録されたデータのみを代替クラスターに再記録し、ＴＤＦＬが有効に記録されたクラスターの位置を示すポインター情報をＴＤＤＳに含めてＴＤＭＡに記録することによって、ＴＤＭＡが速く消尽されることを防止できる。
【００４３】
以下、添付された図面を参照して、本発明による一実施形態を詳細に説明する。
【００４４】
図1は、本発明の一実施形態による追記型の情報記録媒体100の構造を示す図である。図1に示した追記型の情報記録媒体100は、単一記録層を有する追記型の情報記録媒体であって、その記録層には、リードイン領域、データ領域及びリードアウト領域が設けられている。
【００４５】
リードイン領域には、ＤＭＡ1（ディスクマネージメントエリア1）、ＤＭＡ2、Ｐｒｉｍａｒｙ  ＴＤＭＡ、記録条件テスト領域及びＤｒｉｖｅ  Ｉｎｆｏｒｍａｔｉｏｎ  Ａｒｅａが設けられている。データ領域には、ユーザーデータ領域に欠陥クラスターの発生時、欠陥クラスターの代替のためのスペア領域1、スペア領域2、Ｓｅｃｏｎｄａｒｙ  ＴＤＭＡ及びユーザーデータ領域が設けられている。リードアウト領域には、ＤＭＡ3及びＤＭＡ4などの領域が設けられている。
【００４６】
Ｐｒｉｍａｒｙ  ＴＤＭＡ及びＳｅｃｏｎｄａｒｙ  ＴＤＭＡは、ＴＤＦＬ及びＴＤＤＳ（Ｔｅｍｐｏｒａｒｙ  Ｄｉｓｃ  Ｄｅｆｉｎｉｔｉｏｎ  Ｓｔｒｕｃｔｕｒｅ）が記録される。ＴＤＤＳは、記録条件テスト領域の記録可能な位置情報、ＷｒｉｔｅＰｒｏｔｅｃｔｉｏｎ情報、データ領域に割り当てられたスペア領域の位置及び／または大きさ情報などを備える。特に、本実施形態で、ＴＤＤＳは、ＴＤＦＬの位置を示すポインター情報を含む。ＴＤＤＳ及びＴＤＦＬの位置を示すポインター情報については後述する。
【００４７】
ＴＤＦＬ及びＴＤＤＳは、Ｐｒｉｍａｒｙ  ＴＤＭＡに先に記録される。Ｐｒｉｍａｒｙ  ＴＤＭＡがすべて消尽されれば、Ｓｅｃｏｎｄａｒｙ  ＴＤＭＡにＴＤＦＬ及びＴＤＤＳが記録される。データ領域に設けられたＳｅｃｏｎｄａｒｙ  ＴＤＭＡは、ユーザーの命令またはデータ記録及び／または再生装置の命令によって割り当てられることもあり、そうでないこともある。ユーザーまたはデータ記録及び／または再生装置の製作者により、媒体をさらに効果的に使用可能にするためである。
【００４８】
データ記録及び／または再生装置は、追記型の情報記録媒体がローディングされれば、追記型の情報記録媒体の使用のための初期化を行う。すなわち、リードイン領域及び／またはリードアウト領域にある情報を読み込んで、媒体をどのように管理してどのように記録するか、または再生せねばならないかを把握する。リードイン領域及び／またはリードアウト領域に記録された情報の量が多くなるほど、媒体をローディングした後で記録または再生を準備するためにかかる時間が長くなるという問題が発生する。かかる問題を解決するために、ＴＤＤＳ及びＴＤＦＬの概念が導入された。
【００４９】
すなわち、追記型の情報記録媒体が最終化される前には、ＴＤＦＬ及びＴＤＤＳをアップデートしてＴＤＭＡに記録し、媒体が最終化されれば、最終的に意味があるＴＤＦＬ及びＴＤＤＳをＤＭＡにそれぞれＤＦＬ及びＤＤＳとして記録する。また、ＤＭＡに最終的に意味があるＴＤＦＬ及びＴＤＤＳを記録することによって、再記録可能な媒体の再生装置でも追記型の情報記録媒体を再生できる。
【００５０】
図2は、本発明の一実施形態によるデータ記録及び／または再生装置のブロック図である。図2に示すように、本実施形態による装置は、記録／読み取り部1、制御部2及びメモリ3を備える。追記型の情報記録媒体100は、図1に示した単一記録層の追記型の情報記録媒体の構造を有する。
【００５１】
記録／読み取り部1は、制御部2の制御によって、追記型の情報記録媒体100にデータを記録及び／または再生する。データの記録時、記録されたデータを検証するために、記録後に再び記録されたデータを読み取る。
【００５２】
制御部2は、本実施形態によるデータ記録及び／または再生装置の全体動作を制御する。さらに、制御部2は、追記型の情報記録媒体100にデータを記録及び／または再生することによって、アップデートされたＴＤＦＬを生成して追記型の情報記録媒体100に設けられたＴＤＭＡに記録し、アップデートされたＴＤＦＬの位置を示すポインター情報が含まれたＴＤＤＳをＴＤＭＡに記録することによって欠陥管理を行う。
【００５３】
メモリ3には、追記型の情報記録媒体100の使用のための初期化時、追記型の情報記録媒体100から読み取られた最終的にアップデートされたＴＤＦＬ及びＴＤＤＳが保存される。次いで、ユーザーデータ記録及び欠陥管理過程が行われることによって、制御部2は、メモリ3に保存されたＴＤＦＬに、新たな欠陥クラスターの位置情報とその欠陥クラスターに対応する代替クラスターの位置情報とが含まれたアップデートされたＴＤＦＬを生成した後でＴＤＭＡに記録し、そのアップデートされたＴＤＦＬが記録された位置を示すポインター情報をＴＤＭＡに記録する。
【００５４】
以下、図2に示したデータ記録及び／または再生装置により行われる本発明の一実施形態による追記型の情報記録媒体にＴＤＦＬを記録する方法について説明する。
【００５５】
図3は、本発明の一実施形態によるＴＤＦＬ記録方法のフローチャートである。
【００５６】
図示していないが、追記型の情報記録媒体100がデータ記録及び／または再生装置にローディングされれば、追記型の情報記録媒体100の使用のための初期化が行われる。すなわち、制御部2は、追記型の情報記録媒体100から最終的にアップデートされたＴＤＦＬ及びＴＤＤＳを読み取ってメモリ3に保存する。
【００５７】
次いで、ホスト（図示せず）から追記型の情報記録媒体100にユーザーデータ記録命令と共にユーザーデータが入力されれば、制御部2は、所定単位でユーザーデータを追記型の情報記録媒体100に記録した後、記録されたデータを検証する「記録後の検証過程」を行う。
【００５８】
データ記録及び／または再生装置は、データ記録中に所定時間の間隔または一回のデータ記録作業を完了した後、メモリ3に保存されたＴＤＦＬに、新たな欠陥クラスターの位置情報とその欠陥クラスターに対応する代替クラスターの位置情報とが含まれたアップデートされたＴＤＦＬを生成した後でＴＤＭＡに記録し、そのアップデートされたＴＤＦＬが記録された位置を示すポインター情報を含むＴＤＤＳをＴＤＭＡに記録する。
【００５９】
図4は、記録後の検証過程によってＴＤＦＬを生成する過程をさらに詳細に説明するための図である。ここで、データを処理する単位は、セクター及びクラスターに分けられる。セクターは、コンピュータのファイルシステムや応用プログラムでデータを管理できる最小限の単位を意味し、クラスターは、一回に物理的にディスク上に記録されうる最小限の単位を意味する。一般的に、一つあるいはそれ以上のセクターが一つのクラスターを構成する。
【００６０】
セクターは、再び物理セクターと論理セクターとに分けられる。物理セクターは、ディスク上に一つのセクター分量のデータが記録されるための空間を意味する。物理セクターを探すためのアドレスを、物理セクター番号（フィジカルセクタナンバ：ＰＳＮ）という。論理セクターは、ファイルシステムや応用プログラムでデータを管理するためのセクター単位をいい、同様に、論理セクター番号（ロジカルセクロナンバ：ＬＳＮ）が与えられている。
【００６１】
データ記録及び／または再生装置は、記録／再生せねばならないデータの追記型の情報記録媒体100上の位置を、ＰＳＮを使用して探し、データを記録／再生するためのコンピュータまたは応用プログラムでは、データの全体を論理セクター単位で管理し、データの位置もＬＳＮで探す。ＬＳＮとＰＳＮとの関係は、制御部2が欠陥の如何や記録開始位置などを使用してマッピングする。
【００６２】
図4に示すように、Ａは、ユーザーデータ領域を意味し、Ｂは、スペア領域を意味する。ユーザーデータ領域Ａ及びスペア領域Ｂには、ＰＳＮが順次に割り当てられた複数個の物理セクター（図示せず）が存在する。ＬＳＮは、少なくとも一つの物理セクター単位で付与される。ただし、ＬＳＮは、欠陥が発生したユーザーデータ領域Ａに発生した欠陥領域を除いて、スペア領域Ｂの代替領域を含めて付与されるので、物理セクターと論理セクターの大きさが同一であると仮定しても、欠陥領域が発生すれば、ＰＳＮとＬＳＮとが一致しなくなる。
【００６３】
ユーザーデータ領域Ａにユーザーデータを記録する方式は、連続記録モードまたはランダム記録モードによる。連続記録モードは、ユーザーデータを順次に連続して記録するものであり、ランダム記録モードは、必ずしも連続的に記録せずに、ランダムに記録するものをいう。（1）〜（7）は、それぞれ記録後の検証作業が行われる単位を示す。
【００６４】
データ記録及び／または再生装置は、ユーザーデータを区間（1）ほど記録した後、区間（1）の最初に戻って、データが正しく記録されたか、または欠陥が発生したかを確認する。欠陥が発生したクラスターが発見されれば、そのクラスターを欠陥クラスターとして指定して、図4に示すように、欠陥領域である欠陥＃1が指定される。
【００６５】
また、データ記録及び／または再生装置は、欠陥＃1に記録されたデータをスペア領域に再び記録する。欠陥＃1に記録されたデータが再記録された部分は、代替＃1と呼ばれる。次いで、データ記録及び／または再生装置は、区間（2）ほどユーザーデータを記録した後、再び区間（2）の最初に戻って、データが正しく記録されたか、または欠陥が発生したかを確認する。欠陥が発生した少なくとも一つのクラスターが発見されれば、その部分は、欠陥＃2として指定される。同様な方式で、欠陥＃2に対応する代替＃2が生成される。また、区間（3）で、欠陥領域である欠陥＃3と代替＃3とが生成される。区間（4）では、欠陥が発生した部分が発見されないので、欠陥領域が存在しない。
【００６６】
区間（4）まで記録して検証した後、レコーディングオペーレーション＃1の終了が予測されれば（ユーザーがエジェクトボタンを押すか、またはレコーディングオペレーションに割り当てられたユーザーデータの記録が完了すれば）、データ記録及び／または再生装置は、メモリ3に保存された以前ＴＤＦＬに、区間（1）〜（4）で発生した欠陥領域である欠陥＃1，＃2，＃3の位置情報とそれぞれの代替領域である代替＃1，＃2，＃3の位置情報とがアップデートされたＴＤＦＬ＃1を生成する。
【００６７】
再び追記型の情報記録媒体100がデータ記録及び／または再生装置にローディングされれば、制御部2は、追記型の情報記録媒体100から以前に記録されたＴＤＦＬ＃1を読み取ってメモリ3に保存する。次いで、レコーディングオペーレーション＃2が始まれば、前述したレコーディングオペーレーション＃1の場合と同様な方式でデータが記録されて欠陥管理が行われる。
【００６８】
すなわち、レコーディングオペーレーション＃2では、区間（5）〜（7）でユーザーデータ記録後の検証過程が行われて欠陥＃4、欠陥＃5及び代替＃4、代替＃5が生成される。レコーディングオペーレーション＃2が終了すれば、データ記録及び／または再生装置は、メモリ3に保存された以前ＴＤＦＬ＃1に、欠陥＃4、欠陥＃5の位置情報とそれぞれの代替領域である代替＃4、代替＃5の位置情報とがアップデートされたＴＤＦＬ＃2を生成する。
【００６９】
図5は、ＴＤＦＬの一実施形態を示す図である。図5に示すように、ＴＤＦＬの最初の列には、追記型の情報記録媒体100に存在する全体の欠陥クラスターの位置を示す情報が含まれ、二番目の列には、前記それぞれの欠陥クラスターに対応する代替クラスターの位置を示す情報が含まれる。本実施形態で、欠陥クラスターの位置または代替クラスターの位置は、それぞれのクラスターの最初のセクタのＰＳＮを利用して示す。しかし、それぞれのクラスターの最後のセクタのＰＳＮ、またはそれぞれのクラスターを示すインデックスなどを利用して示すこともできる。
【００７０】
再び図3に示すように、前述したようにＴＤＦＬが生成されれば、制御部2は、生成されたＴＤＦＬをＴＤＭＡの少なくとも一つのクラスターに記録した後で検証する（ステップ510）。検証結果、ＴＤＦＬが記録されたクラスターのうち欠陥クラスターが発生すれば、制御部2は、ＴＤＭＡの他のクラスターに、欠陥クラスターに記録されたデータを再記録する（ステップ530）。
【００７１】
ＴＤＦＬの記録後の検証方法に関する二つの実施形態について説明する。
【００７２】
図6は、ＴＤＦＬの記録後の検証方法の第1実施形態を示す図である。本実施形態によれば、複数のクラスター分量のＴＤＦＬをＴＤＭＡに記録するとき、ＴＤＦＬ全体を記録した後で検証する。
【００７３】
図6に示すように、ＴＤＦＬの大きさが3個のクラスター分量である場合、最初のクラスター210、二番目のクラスター230及び三番目のクラスター250にＴＤＦＬを記録した後で検証した結果、二番目のクラスター230に欠陥が発生した場合を示す。三番目のクラスター250の次のクラスター270に、二番目のクラスター230に記録されたデータを再記録する。再記録されたクラスター270を検証して欠陥がないと判断されれば、ＴＤＦＬ記録を終了し、ＴＤＦＬが記録されたそれぞれのクラスターの位置を示すポインター情報をＴＤＤＳに含めた後、ＴＤＤＳをＴＤＭＡに記録する。このとき、ポインター情報は、最初記録時に欠陥が発生していないクラスター210、250と欠陥クラスターが代替された代替クラスター270の位置を示すポインターを含む。
【００７４】
図7は、ＴＤＦＬの記録後の検証方法の第2実施形態を示す図面である。本実施形態によれば、複数のクラスター分量のＴＤＦＬをＴＤＭＡに記録するとき、第1実施形態と異なり、ＴＤＦＬを記録した後で検証する過程をクラスター単位で行う。
【００７５】
図7に示すように、ＴＤＦＬの大きさが3個のクラスター分量である場合、最初のクラスター310を記録して検証した結果、欠陥が発生していない。二番目のクラスター330を記録した後で検証した結果、欠陥が発生したと決定されて、二番目のクラスター330の次のクラスター350に、二番目のクラスター330に記録されたデータを再記録する。再記録されたクラスター350を検証して欠陥がないと決定されれば、三番目のクラスター370にＴＤＦＬを記録した後で検証する。三番目のクラスター370を検証して欠陥がないと決定されれば、ＴＤＦＬ記録を終了し、ＴＤＦＬが記録されたそれぞれのクラスターの位置を示すポインター情報をＴＤＤＳに含めた後、ＴＤＤＳをＴＤＭＡに記録する。第1実施形態と同様に、ポインター情報は、最初記録時に欠陥が発生していないクラスター310、370と欠陥クラスターが代替された代替クラスター350の位置を示すポインターを含む。
【００７６】
図8は、本発明によるＴＤＦＬの位置を示すポインター情報の一例を示す図である。図8に示したポインター情報は、ｋ個のポインター410、430、450を含んでいる。データ記録及び／または再生装置は、図8に示したポインター情報を再生することによって、ＴＤＦＬがｋ個のクラスターに順次に記録され、ｋ個それぞれのクラスターの位置が分かる。
【００７７】
本実施形態で、ＴＤＦＬのｎ番目のクラスターポインター（ｎは、1ないしｋの整数）は、4バイトの大きさを有する。また、ポインター情報は、前述したＴＤＤＳに含まれる。すなわち、ＴＤＤＳは、ＴＤＦＬの位置を示すポインター情報、記録条件テスト領域の記録可能な位置情報、書込保護情報、データ領域に割り当てられたスペア領域の位置及び／または大きさ情報などを含む。
【００７８】
ＴＤＤＳは、ＴＤＦＬの位置を示すポインター情報を含まなければならないので、常にＴＤＦＬを記録した後でＴＤＭＡに記録せねばならない。
【００７９】
前述したように、本発明によるＴＤＦＬの記録方法及び装置によれば、ＴＤＦＬの記録時、記録後の検証過程を行って欠陥クラスターが発生すれば、他のクラスターに再記録することによってＴＤＦＬを高い信頼度で記録できる。さらに、ＴＤＦＬの記録時に欠陥が発生しても、再び全体のＴＤＦＬを記録せずに欠陥クラスターに記録されたデータのみを代替クラスターに再記録し、ＴＤＦＬが有効に記録されたクラスターの位置を示すポインター情報をＴＤＤＳに含めてＴＤＭＡに記録することによって、ＴＤＭＡが速く消尽されることを防止できる。
【００８０】
以下では、本発明によるＴＤＦＬの再生方法及び再生装置の一実施形態を説明する。
【００８１】
本実施形態によるデータ再生装置は、図2に示したデータ記録及び／または再生装置を利用する。ただし、再生専用装置であれば、記録／読み取り部1及び制御部2は、データ読み取り機能のみを行う。
【００８２】
図9は、本発明の一実施形態によるＴＤＦＬの再生方法のフローチャートである。図示していないが、前述したような方法によって、ユーザーデータ、ＴＤＦＬ及びＴＤＤＳが記録された追記型の情報記録媒体100がデータ記録及び／または再生装置にローディングされれば、制御部2は、媒体の使用のための初期化を行う。すなわち、追記型の情報記録媒体100の使用及び管理に必要な基礎になるデータを追記型の情報記録媒体100から読み取る。
【００８３】
特に、最終的にアップデートされたＴＤＤＳを探索して読み取った後、前記最終的にアップデートされたＴＤＤＳから最終的にアップデートされたＴＤＦＬの位置を示すポインター情報を得る（ステップ610）。最終的にアップデートされたＴＤＦＬの位置を示すポインター情報は、図8に示すような構造を有する。
【００８４】
制御部2は、前記ポインター情報から最終的にアップデートされたＴＤＦＬが記録されたクラスターの位置、及びそれぞれのクラスターにＴＤＦＬが記録された順序が分かるので、最終的にアップデートされたＴＤＦＬを読み取る（ステップ630）。制御部2は、追記型の情報記録媒体100から読み取った最終的にアップデートされたＴＤＤＳ及びＴＤＦＬをメモリ3に保存する。制御部2は、メモリ3に保存されたＴＤＤＳ及びＴＤＦＬを参考にして、追記型の情報記録媒体100に記録されたユーザーデータをエラーなしに再生できる。
【００８５】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【００８６】
これまで、本発明について、その望ましい実施形態を中心に述べた。当業者は、本発明が、本発明の本質的な特性から逸脱しない範囲で、変形された形態に具現可能であるということを理解できるであろう。本発明の範囲は、前述した説明ではなく、特許請求の範囲に表れており、それと同等な範囲内にあるあらゆる差異点は、本発明に含まれていると解釈されねばならない。
【００８７】
以下、本発明により教示される手段を例示的に列挙する。
【００８８】
（第1項）
追記型の情報記録媒体に欠陥管理のための臨時欠陥リスト記録方法において、
前記追記型の情報記録媒体にデータ記録中に生成された臨時欠陥リストを、前記追記型の情報記録媒体の少なくとも一つのクラスターに記録し、前記少なくとも一つのクラスターに欠陥が発生したか否かを検証するステップと、
欠陥が発生したクラスターに記録されたデータを他のクラスターに記録するステップと、
前記臨時欠陥リストが記録された少なくとも一つのクラスターの位置を示すポインター情報を、前記追記型の情報記録媒体に記録するステップと、を含むことを特徴とする方法。
【００８９】
（第2項）
前記臨時欠陥リストは、欠陥が発生した欠陥クラスターの位置情報と、前記欠陥クラスターの代替のための代替クラスターの位置情報とを含むことを特徴とする第1項に記載の方法。
【００９０】
（第3項）
前記ポインター情報は、欠陥が発生したクラスターの代わりに、前記他のクラスターの位置を示す情報を含むことを特徴とする第1項に記載の方法。
【００９１】
（第4項）
前記臨時欠陥リストの記録及び検証ステップは、
前記臨時欠陥リストを少なくとも一つのクラスターにいずれも記録した後、前記少なくとも一つのクラスターに欠陥が発生したか否かを検証するステップであることを特徴とする第1項に記載の方法。
【００９２】
（第5項）
前記臨時欠陥リストの記録及び検証ステップは、クラスター単位で行うことを特徴とする第1項に記載の方法。
【００９３】
（第6項）
前記ポインター情報は、臨時ディスク管理情報に含まれることを特徴とする第1項に記載の方法。
【００９４】
（第7項）
前記臨時欠陥リスト及び前記臨時ディスク管理情報は、前記追記型の情報記録媒体に設けられた臨時ディスク管理領域に記録されることを特徴とする第6項に記載の方法。
【００９５】
（第8項）
追記型の情報記録媒体にデータを記録／読み取る装置において、
追記型の情報記録媒体にデータを記録／読み取る記録／読み取り部と、
前記追記型の情報記録媒体にデータ記録中に生成された欠陥管理のための臨時欠陥リストを、前記追記型の情報記録媒体の少なくとも一つのクラスターに記録するように前記記録／読み取り部を制御し、前記少なくとも一つのクラスターに欠陥が発生したか否かを検証して、欠陥が発生したクラスターに記録されたデータを他のクラスターに記録するように前記記録／読み取り部を制御し、前記臨時欠陥リストが記録された少なくとも一つのクラスターの位置を示すポインター情報を、前記追記型の情報記録媒体に記録するように前記記録／読み取り部を制御する制御部と、を備えることを特徴とする装置。
【００９６】
（第9項）
前記臨時欠陥リストは、欠陥が発生した欠陥クラスターの位置情報と、前記欠陥クラスターの代替のための代替クラスターの位置情報とを含むことを特徴とする第8項に記載の装置。
【００９７】
（第10項）
前記ポインター情報は、欠陥が発生したクラスターの代わりに、前記他のクラスターの位置を示す情報を含むことを特徴とする第8項に記載の装置。
【００９８】
（第11項）
前記制御部は、
前記臨時欠陥リストを少なくとも一つのクラスターにいずれも記録した後、前記少なくとも一つのクラスターに欠陥が発生したか否かを検証することを特徴とする第8項に記載の装置。
【００９９】
（第12項）
前記制御部は、クラスター単位で前記臨時欠陥リストの記録及び検証を行うことを特徴とする第8項に記載の装置。
【０１００】
（第13項）
前記ポインター情報は、臨時ディスク管理情報に含まれることを特徴とする第8項に記載の装置。
【０１０１】
（第14項）
前記臨時欠陥リスト及び前記臨時ディスク管理情報は、前記追記型の情報記録媒体に設けられた臨時ディスク管理領域に記録されることを特徴とする第13項に記載の装置。
【０１０２】
（第15項）
追記型の情報記録媒体に欠陥管理のために記録された臨時欠陥リストを読み取る方法において、
前記追記型の情報記録媒体から、前記臨時欠陥リストが記録された位置を示すポインター情報を得るステップと、
前記ポインター情報によって、前記臨時欠陥リストが記録された少なくとも一つのクラスターにアクセスして、前記臨時欠陥リストを読み取るステップと、を含むことを特徴とする方法。
【０１０３】
（第16項）
前記ポインター情報は、前記臨時欠陥リストが記録された少なくとも一つのクラスターの位置を示す情報であることを特徴とする第15項に記載の方法。
【０１０４】
（第17項）
前記ポインター情報は、前記少なくとも一つのクラスターのそれぞれの位置を示す情報であることを特徴とする第16項に記載の方法。
【０１０５】
（第18項）
前記臨時欠陥リストの記録時、少なくとも一つのクラスターに欠陥が発生して、他のクラスターにデータを代替して記録した場合、前記ポインター情報は、前記欠陥が発生した欠陥クラスターの代わりに前記他のクラスターの位置を示す情報を含むことを特徴とする第16項に記載の方法。
【０１０６】
（第19項）
前記臨時欠陥リストは、欠陥が発生した欠陥クラスターの位置情報と、前記欠陥クラスターの代替のための代替クラスターの位置情報とを含むことを特徴とする第15項に記載の方法。
【０１０７】
（第20項）
前記ポインター情報は、臨時ディスク管理情報に含まれることを特徴とする第15項に記載の方法。
【０１０８】
（第21項）
前記臨時欠陥リスト及び前記臨時ディスク管理情報は、前記追記型の情報記録媒体に設けられた臨時ディスク管理領域に記録されることを特徴とする第20項に記載の方法。
【０１０９】
（第22項）
追記型の情報記録媒体にデータを記録／読み取る装置において、
追記型の情報記録媒体に記録されたデータを読み取る読み取り部と、
追記型の情報記録媒体から、欠陥管理のために記録された臨時欠陥リストが記録された位置を示すポインター情報を読み取るように前記読み取り部を制御し、前記読み取り部から出力された前記ポインター情報によって、前記臨時欠陥リストが記録された少なくとも一つのクラスターにアクセスして、前記臨時欠陥リストを読み取るように前記読み取り部を制御する制御部と、を備えることを特徴とする装置。
【０１１０】
（第23項）
前記ポインター情報は、前記臨時欠陥リストが記録された少なくとも一つのクラスターの位置を示す情報であることを特徴とする第22項に記載の装置。
【０１１１】
（第24項）
前記ポインター情報は、前記少なくとも一つのクラスターのそれぞれの位置を示す情報であることを特徴とする第23項に記載の装置。
【０１１２】
（第25項）
前記臨時欠陥リストの記録時、少なくとも一つのクラスターに欠陥が発生して、他のクラスターにデータを代替して記録した場合、前記ポインター情報は、前記欠陥が発生した欠陥クラスターの代わりに前記他のクラスターの位置を示す情報を含むことを特徴とする第23項に記載の装置。
【０１１３】
（第26項）
前記臨時欠陥リストは、欠陥が発生した欠陥クラスターの位置情報と、前記欠陥クラスターの代替のための代替クラスターの位置情報とを含むことを特徴とする第22項に記載の装置。
【０１１４】
（第27項）
前記ポインター情報は、臨時ディスク管理情報に含まれることを特徴とする第22項に記載の装置。
【０１１５】
（第28項）
前記臨時欠陥リスト及び前記臨時ディスク管理情報は、前記追記型の情報記録媒体に設けられた臨時ディスク管理領域に記録されることを特徴とする第27項に記載の装置。
【０１１６】
（第29項）
記録／再生装置に利用される追記型の情報記録媒体において、
ユーザーデータを記録するための少なくとも一つのユーザーデータ領域と、
ユーザーデータ領域の欠陥発生時、代替のための少なくとも一つのスペア領域と、
欠陥管理のための臨時欠陥リスト、及び前記臨時欠陥リストが記録された少なくとも一つのクラスターの位置を示すポインター情報を記録するための少なくとも一つの臨時ディスク管理領域と、を備えることを特徴とする追記型の情報記録媒体。
【０１１７】
（第30項）
前記臨時欠陥リストは、欠陥が発生したユーザーデータ領域の欠陥クラスターの位置情報と、前記欠陥クラスターの代替のための前記スペア領域の代替クラスターの位置情報とを含むことを特徴とする第29項に記載の追記型の情報記録媒体。
【０１１８】
（第31項）
前記臨時欠陥リストを前記臨時ディスク管理領域の少なくとも一つのクラスターに記録時、前記少なくとも一つのクラスターに欠陥が発生して、他のクラスターにデータを代替して記録した場合、前記ポインター情報は、前記欠陥が発生した欠陥クラスターの代わりに前記他のクラスターの位置を示す情報を含むことを特徴とする第29項に記載の追記型の情報記録媒体。
【０１１９】
（第32項）
前記ポインター情報は、臨時ディスク管理情報に含まれることを特徴とする第29項に記載の追記型の情報記録媒体。
【０１２０】
（第33項）
追記型の情報記録媒体に、データ記録中に生成された臨時欠陥リストを前記追記型の情報記録媒体の少なくとも一つのクラスターに記録し、前記少なくとも一つのクラスターに欠陥が発生したか否かを検証するステップと、
欠陥が発生したクラスターに記録されたデータを他のクラスターに記録するステップと、
前記臨時欠陥リストが記録された少なくとも一つのクラスターの位置を示すポインター情報を、前記追記型の情報記録媒体に記録するステップと、を含むことを特徴とする追記型の情報記録媒体に欠陥管理のための臨時欠陥リストを記録する方法を実現させるためのプログラムを記録したコンピュータで読み取り可能な記録媒体。
【０１２１】
（第34項）
追記型の情報記録媒体から、前記臨時欠陥リストが記録された位置を示すポインター情報を得るステップと、
前記ポインター情報によって、前記臨時欠陥リストが記録された少なくとも一つのクラスターにアクセスして、前記臨時欠陥リストを読み取るステップと、を含むことを特徴とする追記型の情報記録媒体に記録された欠陥管理のための臨時欠陥リストを読み取る方法を実現させるためのプログラムを記録したコンピュータで読み取り可能な記録媒体。
【０１２２】
（第35項）
記録媒体に保存されたユーザーデータのための臨時欠陥リストを管理する方法において、
クラスター単位で前記記録媒体の臨時欠陥管理領域に前記臨時欠陥リストを記録する間に、記録後検証プロセスを行うステップを含むことを特徴とする臨時欠陥リストの管理方法。
【０１２３】
（第36項）
前記記録後検証プロセスの実行ステップは、
前記臨時欠陥管理領域の連続したクラスターに、単一ユニットに前記臨時欠陥リストを保存するステップと、
前記臨時欠陥リストの記録された単一ユニットを検証し、前記臨時欠陥リストの一部に対応する前記臨時欠陥管理領域のクラスターのうち一つに欠陥が存在するとき、前記臨時欠陥管理領域の次のクラスターの前記部分を記録して検証するステップと、を含むことを特徴とする第35項に記載の臨時欠陥リストの管理方法。
【０１２４】
（第37項）
前記臨時欠陥リストが記録された前記臨時欠陥管理領域の位置を示すポインター情報を保存するステップをさらに含むことを特徴とする第36項に記載の臨時欠陥リストの管理方法。
【０１２５】
（第38項）
前記ポインター情報は、前記臨時欠陥リストを含んでいる前記臨時欠陥管理領域のクラスターをポインティングすることを特徴とする第37項に記載の臨時欠陥リストの管理方法。
【０１２６】
（第39項）
前記臨時欠陥管理領域に保存された臨時ディスク定義構造に、前記ポインター情報を保存するステップをさらに含むことを特徴とする第37項に記載の臨時欠陥リストの管理方法。
【０１２７】
（第40項）
前記臨時欠陥管理領域がいっぱいになったとき、前記臨時欠陥リスト及び前記臨時ディスク定義構造は、前記記録媒体上の第2臨時欠陥管理領域に保存されることを特徴とする第39項に記載の臨時欠陥リストの管理方法。
【０１２８】
（第41項）
前記臨時欠陥リストは、前記臨時欠陥管理領域で前記臨時ディスク定義構造の前に保存されることを特徴とする第40項に記載の臨時欠陥リストの管理方法。
【０１２９】
（第42項）
前記記録媒体は、一回記録の光ディスクであることを特徴とする第41項に記載の臨時欠陥リストの管理方法。
【０１３０】
（第43項）
前記一回記録の光ディスクは、単一記録層のディスクであることを特徴とする第42項に記載の臨時欠陥リストの管理方法。
【０１３１】
（第44項）
前記記録後検証プロセスの実行ステップは、
前記臨時欠陥管理領域の単一クラスターの増加順に前記臨時欠陥リストを記録するステップと、
単一クラスターが記録されるとき、各単一クラスターの増分を検証し、前記臨時欠陥リストの一部に対応する前記臨時欠陥管理領域の前記単一クラスターに欠陥が位置するとき、前記臨時欠陥管理領域の次のクラスターに前記臨時欠陥リストの前記一部を記録して検証するステップと、を含むことを特徴とする第35項に記載の臨時欠陥リストの管理方法。
【０１３２】
（第45項）
前記臨時欠陥リストが記録される前記臨時欠陥管理領域の位置を示すポインター情報を保存するステップをさらに含むことを特徴とする第44項に記載の臨時欠陥リストの管理方法。
【０１３３】
（第46項）
前記ポインター情報は、前記臨時欠陥リストを含んでいる前記臨時欠陥管理領域のクラスターを単にポインティングすることを特徴とする第45項に記載の臨時欠陥リストの管理方法。
【０１３４】
（第47項）
前記臨時欠陥管理領域に保存された臨時ディスク定義構造に、前記ポインター情報を保存するステップをさらに含むことを特徴とする第45項に記載の臨時欠陥リストの管理方法。
【０１３５】
（第48項）
前記臨時欠陥管理領域がいっぱいになったとき、前記臨時欠陥リスト及び前記臨時ディスク定義構造は、前記記録媒体上の第2臨時欠陥管理領域に保存されることを特徴とする第47項に記載の臨時欠陥リストの管理方法。
【０１３６】
（第49項）
前記臨時欠陥リストは、前記臨時欠陥管理領域で前記臨時ディスク定義構造の前に保存されることを特徴とする第48項に記載の臨時欠陥リストの管理方法。
【０１３７】
（第50項）
前記記録媒体は、一回記録の光ディスクであることを特徴とする第49項に記載の臨時欠陥リストの管理方法。
【０１３８】
（第51項）
前記一回記録の光ディスクは、単一記録層のディスクであることを特徴とする第50項に記載の臨時欠陥リストの管理方法。
【０１３９】
（第52項）
追記型の情報記録媒体に保存されたユーザーデータのための臨時欠陥リストを管理する方法において、
データ記録の間に欠陥領域が発生するとき、前記欠陥領域に対応する単一クラスターについてのデータのみが代替領域に記録されるように、前記追記型の情報記録媒体の臨時欠陥管理領域に、前記臨時欠陥リストの記録の間に記録後検証プロセスを行うステップを含むことを特徴とする臨時欠陥リストの管理方法。
【０１４０】
（第53項）
前記欠陥領域及び前記代替領域は、物理的セクタ番号により表示されることを特徴とする第52項に記載の臨時欠陥リストの管理方法。
【０１４１】
（第54項）
前記物理的セクタ番号は、前記欠陥領域の最初のセクタ及び前記代替領域の最初のセクタにそれぞれ対応することを特徴とする第53項に記載の臨時欠陥リストの管理方法。
【０１４２】
（第55項）
前記物理的セクタ番号は、前記欠陥領域の最後のセクタ及び前記代替領域の最後のセクタにそれぞれ対応することを特徴とする第53項に記載の臨時欠陥リストの管理方法。
【０１４３】
（第56項）
インデックスは、各欠陥領域及び代替領域を示すことを特徴とする第53項に記載の臨時欠陥リストの管理方法。
【符号の説明】
【０１４４】
1  記録／読取部
2  制御部
3  メモリ
100  追記型の情報記録媒体
【図１】
0004709297.tif 000002
【図２】
0004709297.tif 000003
【図３】
0004709297.tif 000004
【図４】
0004709297.tif 000005
【図５】
0004709297.tif 000006
【図６】
0004709297.tif 000007
【図７】
0004709297.tif 000008
【図８】
0004709297.tif 000009
【図９】
0004709297.tif 000010